(57)【要約】  楽曲の再生に応じて照明機器の制御を行う照明制御装置は、照明機器の発光タイミングを検出する発光タイミング検出部（９）と、楽曲の音声出力タイミングを検出する音声出力タイミング検出部（１３）と、発光タイミング検出部（９）により検出された発光タイミング、および音声出力タイミング検出部（１３）により検出された音声出力タイミングのうち、少なくともいずれか一方のタイミングを、他方のタイミングに同期調整するタイミング調整部（１４）と、を備えている。
2018066115.tif 000002
【特許請求の範囲】
【請求項１】
楽曲の再生に応じて照明機器の制御を行う照明制御装置であって、
前記照明機器の発光タイミングを検出する発光タイミング検出部と、
前記楽曲の音声出力タイミングを検出する音声出力タイミング検出部と、
前記発光タイミング検出部により検出された発光タイミング、および前記音声出力タイミング検出部により検出された音声出力タイミングのうち、少なくともいずれか一方のタイミングを、他方のタイミングに同期調整するタイミング調整部と、を備えていることを特徴とする照明制御装置。
【請求項２】
請求項１に記載の照明制御装置において、
前記タイミング調整部は、前記音声出力タイミング検出部により検出された音声出力タイミングに代わり、音声データ上の音声立ち上がりポイントを音声出力タイミングに基づいて、同期調整することを特徴とする照明制御装置。
【請求項３】
請求項１に記載の照明制御装置において、
さらに前記照明機器に出力される制御信号が、前記照明機器に至る処理ブロックを経由した後における前記照明機器への制御信号を取得する制御信号取得部を備え、
前記発光タイミング検出部は、前記照明機器への制御信号を取得するタイミングを前記発光タイミングとして検出することを特徴とする照明制御装置。
【請求項４】
請求項１に記載の照明制御装置において、
さらに前記楽曲の拍タイミング情報を含む楽曲解析情報を取得する楽曲解析情報取得部を備え、
前記音声出力タイミング検出部は、前記楽曲解析情報取得部により取得された拍タイミング情報を、音声出力タイミングとして検出することを特徴とする照明制御装置。
【発明の詳細な説明】
【技術分野】
【０００１】
本発明は、楽曲の再生に応じて照明機器の制御を行う照明制御装置に関する。
【背景技術】
【０００２】
コンサートやクラブシーンにおいて、音楽に対応した照明または楽曲に同期して照明を変化させることは、演出効果上重要である。
このため、従来、楽曲に対応した照明操作の自動化が提案されている。たとえば、特許文献１、特許文献２に記載の技術は、楽曲に対応した照明内容に関する照明制御データを予め作成しておき、楽曲の演奏時に楽曲と同期して、照明制御データに基づき、照明機器を制御することにより、楽曲に対応した所望の照明演出効果を実現している。
【先行技術文献】
【特許文献】
【０００３】
【特許文献１】特許第３７４０７９号公報
【特許文献２】特開２０１０−１９２１５５号公報
【発明の概要】
【発明が解決しようとする課題】
【０００４】
しかしながら、前記特許文献１、特許文献２に記載の技術において、楽曲の拍位置のタイミングで照明機器を発光させる制御信号を出力したとしても、制御信号を出力した後、実際に発光するまでに、遅延が生じることがあるため、拍位置と発光タイミングにズレが生じるという課題がある。
また、一律に発光タイミングの位置をずらしたとしても、照明機器の灯体ごとの発光タイミングにばらつきがあるため、全体を同期させることが難しいという課題がある。【０００５】
本発明の目的は、照明機器ごとに発光タイミングを調整することのできる照明制御装置を提供することにある。
【課題を解決するための手段】
【０００６】
本発明の照明制御装置は、
楽曲の再生に応じて照明機器の制御を行う照明制御装置であって、
前記照明機器の発光タイミングを検出する発光タイミング検出部と、
前記楽曲の音声出力タイミングを検出する音声出力タイミング検出部と、
前記発光タイミング検出部により検出された発光タイミング、および前記音声出力タイミング検出部により検出された音声出力タイミングのうち、少なくともいずれか一方のタイミングを、他方のタイミングに同期調整するタイミング調整部と、を備えていることを特徴とする。
【図面の簡単な説明】
【０００７】
【図１】本発明の第１実施形態に係る音響照明制御システムの構成を示す模式図。
【図２】前記実施形態の音響照明制御システムの構成を示すブロック図。
【図３】本発明の第１実施形態に係る音響照明制御システムの構成を示す模式図。
【図４】前記実施形態の音響照明制御システムの構成を示すブロック図。
【図５】本発明の第１実施形態に係る音響照明制御システムの構成を示す模式図。
【図６】前記実施形態の音響照明制御システムの構成を示すブロック図。
【発明を実施するための形態】
【０００８】
以下、本発明の実施の一形態を図面に基づいて説明する。
［第１実施形態］
［１］音響照明制御システム１の全体構成
図１には、本発明の第１実施形態に係る音響照明制御システム１が示されている。音響照明制御システム１は、ＤＪパフォーマンスにおける音響機器制御操作と、音響機器制御とともに行われる照明機器制御を同時に行うシステムであり、ＤＪコントローラ２、コンピュータ３、スピーカー４、および照明装置５を備える。
【０００９】
ＤＪコントローラ２は、操作者が操作するＤＪ機器の本体部分であり、通信ケーブル６を介してコンピュータ３と接続されている。
ＤＪコントローラ２は、左右のデッキＤ１、Ｄ２を備え、それぞれのデッキＤ１、Ｄ２には、ジョグダイヤル２Ａ、ボリューム調整つまみ２Ｂ、パフォーマンスパッド２Ｃ等が設けられている。また、ＤＪコントローラ２は、左右のデッキＤ１、Ｄ２の間にミキサーＭ１を備え、ミキサーＭ１は、左右のデッキＤ１、Ｄ２から出力される再生信号の出力を調整する。
操作者は、左右のデッキＤ１、Ｄ２を操作して、それぞれのデッキで再生される楽曲データの再生制御操作を行い、ＤＪパフォーマンスを行う。
このようなＤＪコントローラ２は、アナログケーブル７を介してスピーカー４と接続され、操作者によるＤＪパフォーマンスに応じた音声をスピーカー４から出力される。
【００１０】
コンピュータ３は、操作者がＤＪコントローラ２を操作して出力される音響機器制御操作信号に基づいて、ＤＪコントローラ２に挿入された光ディスクに記憶された楽曲データや、コンピュータ３内に記憶されている楽曲データに、ＤＪコントローラ２に入力された再生制御操作に応じた音響効果を施し、ＤＪコントローラ２に出力し、アナログケーブル７を介して、スピーカー４から操作者の操作に応じた音声を出力する。
また、コンピュータ３には、通信ケーブル８を介して、照明装置５が接続されている。
【００１１】
照明装置５は、ライブスペース内やイベントスペース内の照明を行うものであり、ライブ設備として多用される各種の照明機器５Ａを備えている。
照明機器５Ａは、舞台照明に多用される、例えばパーライト、ストロボライト、ムービングヘッドなどである。これらの照明機器５Ａにおいては、それぞれ投光の断続、明るさのほか、機器によって照射方向、動作速度などのパラメータを指定することができる。
【００１２】
これらのパラメータを制御するために、照明装置５の照明機器５Ａは、それぞれたとえば、ＤＭＸ５１２規格に準拠するとともに、同規格に基づいて互いに接続され、同規格に準拠した照明制御信号を送信することで、各照明機器５Ａに所期の照明を実行させることができる。
なお、ＤＭＸ５１２規格は舞台照明分野で一般的な規格であるが、コンピュータ３および照明装置５の接続は、同規格によるものに限らず、他の規格に基づくものであってもよい。
【００１３】
また、コンピュータ３には、発光タイミング検出部としてのＣＣＤカメラ９が、ＵＳＢ等の通信ケーブル９Ａを介して接続される。
ＣＣＤカメラ９は、照明装置５の点消灯の状態を時系列で撮像する。撮像された画像は、通信ケーブル９Ａを介して、コンピュータ３に出力される。なお、発光タイミング検出部としては、ＣＣＤカメラ９に限られず、たとえば、ＣＭＯＳセンサや、フォトダイオード等を採用してもよく、要するに、照明装置５の発光タイミングを検出することができるのであれば、種々のものを採用することができる。
【００１４】
［２］音響照明制御システム１の機能ブロック構成
図２には、照明制御装置としての音響照明制御システム１の機能ブロック図が示されている。コンピュータ３は、楽曲情報処理部３Ａおよび照明情報処理部３Ｂを備える。
【００１５】
楽曲情報蓄積部１０は、演奏対象となる楽曲情報を蓄積するハードディスク等の記憶装置から構成される。演奏対象の決定は、操作者がＤＪコントローラ２を操作することにより、デッキＤ１で演奏する楽曲や、デッキＤ２で演奏する楽曲を選択し、楽曲再生処理部１１に出力する。
楽曲再生処理部１１は、デッキＤ１、Ｄ２で選択された楽曲を再生する。操作者がＤＪコントローラ２のジョグダイヤル２Ａ、ボリューム調整つまみ２Ｂ、およびパフォーマンスパッド２Ｃ等を操作することにより生成される再生制御信号は、この楽曲再生処理部１１に入力され、操作者が行うＤＪパフォーマンスに応じた楽曲再生処理がなされる。
【００１６】
楽曲構造解析部１２は、再生対象となる楽曲構造の解析を行う。
具体的には、楽曲構造解析部１２は、ＦＦＴ（Fast Fourier Transform）解析等を利用して、楽曲を構成するイントロ（intro）、Ａメロ（Verse）、サビ（Hook）、アウトロ（Outro）等の楽曲構造特徴区間の構造解析を行ったり、ＬＰＦ（Low Pass Filter）を利用して、所定の周波数以下の音を検出して、拍位置、ＢＰＭ等の解析を行ったりする。
なお、楽曲構造解析部１２は、外部機器等で行ってもよく、その際は外部機器等で行った解析結果を、楽曲解析情報取得部１３で取得する。
【００１７】
照明情報処理部３Ｂは、照明情報の処理を行う部分であり、楽曲解析情報取得部１３、タイミング調整部１４、および照明制御部１５を備える。
楽曲解析情報取得部１３は、楽曲構造解析部１２で解析された楽曲解析情報を取得し、楽曲解析情報に含まれる拍タイミング情報を取得する。取得した拍タイミング情報は、タイミング調整部１４に出力される。
【００１８】
タイミング調整部１４は、ＣＣＤカメラ９で撮像された照明装置５の発光タイミングと、楽曲解析情報取得部１３により取得された拍タイミング情報とを同期調整させる。
具体的には、タイミング調整部１４は、拍タイミング情報と同一のタイミングで、後述する照明制御部１５に同じ間隔の照明制御信号を出力させる制御信号を出力する。
タイミング調整部１４は、ＣＣＤカメラ９で撮像された照明装置５の発光タイミングを検出し、取得された拍タイミング情報とを比較する。比較した結果、ＣＣＤカメラ９により検出された発光タイミングに遅れを検出したら、タイミング調整部１４は、照明制御部１５による照明制御信号の出力の開始を、楽曲再生処理部１１への制御信号よりも速め、ＣＣＤカメラ９により検出される発光タイミングと、拍タイミング情報とを一致させる。
【００１９】
なお、本実施形態では、タイミング調整部１４は、楽曲解析情報取得部１３により取得された拍タイミング情報に基づいて、同期調整を行っているが、本発明はこれに限られない。たとえば、タイミング調整部１４は、矩形波、パルス波等の音声テスト信号を用い、音声テスト信号が所定の閾値を超えた、音声データ上の音声立ち上がりポイントを、音声出力タイミングとして、同期調整を行ってもよい。
【００２０】
照明制御部１５は、楽曲再生処理部１１の再生位置を取得するとともに、楽曲構造解析部１２で解析された楽曲構造特徴区間に応じて、照明制御信号を生成し、照明装置５に出力する。この際、照明制御部１５は、タイミング調整部１４により同期調整された制御信号の出力開始のタイミングを加味して、照明装置５を構成する照明機器５Ａの発光タイミングを調整した照明制御信号を出力する。なお、一般には、拍タイミング情報に、発光タイミングが一致するように調整するが、これに限らず、拍タイミング情報の出力を遅らせて、発光タイミングと一致させるようにしてもよい。
【００２１】
［３］実施形態の作用および効果
このような本実施形態によれば、音響照明制御システム１が、ＣＣＤカメラ９、楽曲解析情報取得部１３、およびタイミング調整部１４を備えていることにより、ＣＣＤカメラ９で実際の照明装置５による発光タイミングを検出でき、実際の検出結果に基づいて、拍タイミング情報とのズレを調整することができる。
また、ハードウェアとしてＣＣＤカメラ９のみを付加するだけで、音響照明制御システム１を構築できるので、簡素化を図ることができる。
【００２２】
［第２実施形態］
次に、本発明の第２実施形態について説明する。なお、以下の説明では、既に説明した部分と同一の部分等については、同一符号を付して説明を省略する。
前述した第１実施形態では、ＣＣＤカメラ９を用いて、照明装置５の実際の発光タイミングを検出し、これを楽曲解析情報取得部１３により取得された拍タイミング情報に同期調整することにより、楽曲再生処理における拍タイミングと、照明装置５の発光タイミングとの同期調整を行っていた。
【００２３】
これに対して、本実施形態では、図３に示されるように、音響照明制御システム２０が、ＣＣＤカメラ９に加え、マイク２１を備えている点が相違する。
音声出力タイミング検出部としてのマイク２１は、ＵＳＢ等の通信ケーブル２１Ａを介して、コンピュータ３に接続されている。マイク２１は、有線ケーブルにより接続される必要はなく、たとえば、無線ＬＡＮ等の無線により接続されていてもよい。マイク２１が、無線により接続されていれば、音響照明制御システム２０が、設置されるコンサートホール等の任意の位置で音声出力の検出を行うことができるため、より好ましい。
【００２４】
図４には、本実施形態における音響照明制御システム２０の機能ブロック構成が示されている。コンピュータ３は、第１実施形態と同様に、楽曲情報処理部３Ａおよび照明情報処理部２０Ｂを備える。
照明情報処理部２０Ｂは、タイミング調整部２２および照明制御部１５を備え、タイミング調整部２２には、マイク２１で検出された音声出力タイミングと、ＣＣＤカメラ９で撮像された発光タイミングが入力される。
【００２５】
タイミング調整部２２は、マイク２１で検出された音声出力タイミングと、ＣＣＤカメラ９で撮像された発光タイミングとを同期調整する。
具体的には、タイミング調整部２２は、一定の間隔で音声出力をさせる制御信号を楽曲再生処理部１１に出力すると同時に、同一の間隔とタイミングで照明制御信号を出力させる制御信号を照明制御部１５に出力する。その後、タイミング調整部２２は、ＣＣＤカメラ９から入力される発光タイミングと、マイク２１から入力される音声出力タイミングを比較する。比較した結果、音声出力タイミングに遅れて発光タイミングが検出された場合、タイミング調整部２２は、照明制御部１５による照明制御信号の出力の開始を速め、音声出力タイミングとの同期調整を行う。一方、音声出力タイミングが発光タイミングよりも遅れている場合、タイミング調整部２２は、照明制御部１５による照明制御信号の出力の開始を遅らせて、音声出力タイミングとの同期調整を行う。
【００２６】
このような本実施形態によれば、前述の第１実施形態で延べた作用および効果と同一の作用効果を享受できる上、音声出力タイミングおよび発光タイミングを、マイク２１およびＣＣＤカメラ９により実際に検出しながら、同期調整を行っているので、高精度な音声出力および発光タイミングの同期調整を行うことができる。
【００２７】
［第３実施形態］
次に、本発明の第３実施形態について説明する。
前述した第１実施形態では、ＣＣＤカメラ９により照明装置５の発光タイミングを検出し、楽曲解析情報に含まれる拍タイミング情報に、照明装置５の発光タイミングを同期させる調整を行っていた。
これに対して、本実施形態の音響照明制御システム３０は、図５に示すように、コンピュータ３から出力される照明制御信号が、インターフェースを切り替える処理ブロックとなるＩ／Ｆボックス３１を経由して、照明装置５に出力される場合に、Ｉ／Ｆボックス３１の出力を、ケーブル３１Ｂを介してコンピュータ３に戻し、Ｉ／Ｆボックス３１の照明制御信号の出力の時間差に基づいて、発光タイミングの同期調整を行っている点が相違する。
【００２８】
Ｉ／Ｆボックス３１は、たとえば、コンピュータ３から通信ケーブル８を介して出力されるＵＳＢ規格の照明制御信号を、ＤＸＭ５１２規格の照明制御信号に変換し、ＤＸＭ５１２規格のケーブル３１Ａを介して照明装置５に出力する。本実施形態では、このインターフェース規格の変換による遅延を解消して同期調整を行うものである。
図６には、本実施形態に係る音響照明制御システム３０の機能ブロック構成が示されている。コンピュータ３は、第１実施形態と同様に、楽曲情報処理部３Ａおよび照明情報処理部３０Ｂを備える。
【００２９】
照明情報処理部３０Ｂは、第１制御信号取得部３２、第２制御信号取得部３３、タイミング比較部３４、タイミング調整部３５、および照明制御部１５を備える。
第１制御信号取得部３２は、照明制御部１５から出力される照明制御信号を取得し、取得したタイミングを、タイミング比較部３４に出力する。
制御信号取得部としての第２制御信号取得部３３は、Ｉ／Ｆボックス３１から出力される照明制御信号を、ケーブル３１Ａから分岐させたケーブル３１Ｂを介して取得し、取得したタイミングを、タイミング比較部３４に出力する。
【００３０】
タイミング比較部３４は、第１制御信号取得部３２により取得された照明制御信号の出力タイミングと、第２制御信号取得部３３により取得された照明制御信号の出力タイミングとを比較して、時間差を算出する。
タイミング調整部３５は、タイミング比較部３４で算出された照明制御信号の出力タイミングの時間差に応じて、照明制御信号の出力開始を速めたタイミングを照明制御部１５に出力する。
照明制御部１５は、楽曲構造解析部１２から拍タイミング情報を、タイミング調整部３５で調整された出力開始のタイミングを加味して、照明制御信号の出力を開始する。
このような本実施形態によっても、前述した実施形態と同様の作用および効果を享受できる。
【符号の説明】
【００３１】
１…音響照明制御システム、２…ＤＪコントローラ、２Ａ…ジョグダイヤル、２Ｂ…ボリューム調整つまみ、２Ｃ…パフォーマンスパッド、３…コンピュータ、３Ａ…楽曲情報処理部、３Ｂ…照明情報処理部、４…スピーカー、５…照明装置、５Ａ…照明機器、６…通信ケーブル、７…アナログケーブル、８…通信ケーブル、９…ＣＣＤカメラ、９Ａ…通信ケーブル、１０…楽曲情報蓄積部、１１…楽曲再生処理部、１２…楽曲構造解析部、１３…楽曲解析情報取得部、１４…タイミング調整部、１５…照明制御部、２０…音響照明制御システム、２０Ｂ…照明情報処理部、２１…マイク、２１Ａ…通信ケーブル、２２…タイミング調整部、３０…音響照明制御システム、３０Ｂ…照明情報処理部、３１…Ｉ／Ｆボックス、３１Ａ…ケーブル、３１Ｂ…ケーブル、３２…第１制御信号取得部、３３…第２制御信号取得部、３４…タイミング比較部、３５…タイミング調整部、Ｄ１…デッキ、Ｄ２…デッキ、Ｍ１…ミキサー。
【図１】
2018066115.tif 000003
【図２】
2018066115.tif 000004
【図３】
2018066115.tif 000005
【図４】
2018066115.tif 000006
【図５】
2018066115.tif 000007
【図６】
2018066115.tif 000008
【国際調査報告】
2018066115.tif 000009
2018066115.tif 000010